(57)【要約】【課題】携帯端末の着信音を無線による遠隔操作によって瞬時に音量制御することができる機能を備えた携帯端末の着信音量制御システムを提供する。【解決手段】かばん１に入っている携帯端末１ａが、ＢｌｕｅＴｏｏｔｈ送受信機１２から近距離無線通信によって自己の着信情報をリモコン１ｂへ送信すると、リモコン１ｂは、ＢｌｕｅＴｏｏｔｈ送受信機２０から近距離無線通信によって着信情報に基づいて生成された着信音量制御情報を携帯端末１ａへ送信する。すると、携帯端末１ａは、ＢｌｕｅＴｏｏｔｈ送受信機２０から送信された着信音量制御情報を着信制御メモリに格納し、さらに、この着信音量制御情報に基づく着信音量を設定変更するための着信設定情報をデータテーブル１６に格納する。そして、携帯端末１ａは、データテーブル１６で設定変更された着信設定情報に基づいて自己の着信音量を制御する。【選択図】図１
2010193018.tif 000002
【特許請求の範囲】
【請求項１】
前記携帯端末とリモコンとが、電波を用いる近距離無線通信機能によって相互に通信接続され、
前記リモコンが、前記近距離無線通信機能を用いて前記携帯端末の着信音量を制御することを特徴とする携帯端末の着信音量制御システム。
【請求項２】
携帯端末とリモコンからなると共に、
前記携帯端末は、自己の着信情報をリモコンへ電波を用いて送信する近距離通信用の第１の無線送受信機を備え、
前記リモコンは、前記着信情報に基づく着信音量制御情報を前記携帯端末へ電波を用いて送信する近距離通信用の第２の無線送受信機を備え、
前記携帯端末は、前記リモコンから受信した着信音量制御情報に基づいて自己の着信音量を制御することを特徴とする携帯端末の着信音量制御システム。
【請求項３】
前記第１及び第２の無線送受信機は、共にＢｌｕｅＴｏｏｔｈ送受信機からなることを特徴とする請求項１記載の携帯端末の着信音量制御システム。
【請求項４】
前記携帯端末は、
前記第２の無線送受信機から送信された着信音量制御情報を格納する着信制御メモリと、
前記着信制御メモリに格納された着信音量制御情報に基づいて着信音量を設定変更するための着信設定情報を格納するデータテーブルとをさらに備え、
前記データテーブルで設定変更された着信設定情報に基づいて自己の着信音量を制御することを特徴とする請求項３記載の携帯端末の着信音量制御システム。
【請求項５】
前記携帯端末は、所定の時間が経過しても前記第２の無線送受信機から着信音量制御情報を受信しないときは、前記データテーブルに格納されている着信設定情報の着信音量をゼロにすることを特徴とする請求項４記載の携帯端末の着信音量制御システム。
【請求項６】
前記携帯端末は、着信応答又は着信停止を検出したときは、前記データテーブルにおける着信設定情報を着信直前の着信音量にすることを特徴とする請求項４又は５記載の携帯端末の着信音量制御システム。
【請求項７】
前記リモコンは、表示部を備え、前記携帯端末の着信情報の少なくとも一部を前記表示部に画面表示させることを特徴とする請求項１乃至６のいずれか一に記載の携帯端末の着信音量制御システム。
【請求項８】
前記リモコンのボタンを押下することにより、前記携帯端末の着信音量は消音に切り換えられることを特徴とする請求項１乃至７のいずれか一に記載の携帯端末の着信音量制御システム。
【請求項９】
リモコンからの信号に基づいて着信音量が制御される携帯端末であって、
自己の着信情報を電波を用いて送信すると共に、前記リモコンの近距離通信用の第２の無線送受信機から送電波を用いて信された前記着信情報に基づく着信音量制御情報を受信する、近距離通信用の第１の無線送受信機を備え、
前記リモコンから受信した着信音量制御情報に基づいて自己の着信音量を制御することを特徴とする携帯端末。
【請求項１０】
前記第１及び第２の無線送受信機は、共にＢｌｕｅＴｏｏｔｈ送受信機からなることを特徴とする請求項９記載の携帯端末。
【請求項１１】
前記第２の無線送受信機から送信された着信音量制御情報を格納する着信制御メモリと、
前記着信制御メモリに格納された着信音量制御情報に基づいて着信音量を設定変更するための着信設定情報を格納するデータテーブルとをさらに備え、
前記データテーブルで設定変更された着信設定情報に基づいて自己の着信音量を制御することを特徴とする請求項９記載の携帯端末。
【請求項１２】
所定の時間が経過しても前記第２の無線送受信機から着信音量制御情報を受信しないときは、前記データテーブルに格納されている着信設定情報の着信音量をゼロにすることを特徴とする請求項１１記載の携帯端末。
【請求項１３】
着信応答又は着信停止を検出したときは、前記データテーブルにおける着信設定情報を着信直前の着信音量にすることを特徴とする請求項１１又は１２記載の携帯端末。
【請求項１４】
前記リモコンのボタンを押下することにより、自己の着信音量を消音に切り換えことを特徴とする請求項９乃至１３のいずれか一に記載の携帯端末。
【請求項１５】
携帯端末の着信音量制御方法であって、
前記携帯端末が、近距離通信用の第１の無線送受信機によって、自己の着信情報をリモコンへ電波を用いて送信する第１のステップと、
前記リモコンが、近距離通信用の第２の無線送受信機によって、前記携帯端末から受信した前記着信情報に基づく着信音量制御情報を前記携帯端末へ電波を用いて送信する第２のステップと、
前記携帯端末が、前記リモコンから受信した着信音量制御情報に基づいて自己の着信音量を制御する第３のステップと
を含むことを特徴とする携帯端末の着信音量制御方法。
【請求項１６】
前記第１及び第２の無線送受信機は、共にＢｌｕｅＴｏｏｔｈ送受信機からなることを特徴とする請求項１５記載の携帯端末の着信音量制御方法。
【請求項１７】
前記第２のステップの後に、
前記携帯端末が、前記第２の無線送受信機から送信された着信音量制御情報を着信制御メモリへ格納する第２Ａのステップと、
前記携帯端末が、前記着信制御メモリに格納された着信音量制御情報に基づいて着信音量を設定変更するための着信設定情報をデータテーブルに格納する第２Ｂのステップと、
前記データテーブルで設定変更された着信設定情報に基づいて前記携帯端末の着信音量を制御する第２Ｃのステップと
を含むことを特徴とする請求項１５記載の携帯端末の着信音量制御方法。
【請求項１８】
前記携帯端末は、前記第１のステップの後に、所定の時間が経過しても前記第２の無線送受信機から着信音量制御情報を受信しないときは、前記データテーブルに格納されている着信設定情報の着信音量をゼロにすることを特徴とする請求項１５記載の携帯端末の着信音量制御方法。
【請求項１９】
前記携帯端末は、前記第２のステップ以降において着信応答又は着信停止を検出したときは、前記データテーブルにおける着信設定情報を着信直前の着信音量にすることを特徴とする請求項１７記載の携帯端末の着信音量制御方法。
【発明の詳細な説明】
【技術分野】
【０００１】
この発明は、携帯端末、該携帯端末の着信音量制御システム、及び着信音量制御方法に係り、詳しくは、着信状態に応じて携帯端末の着信音量を制御する携帯端末、該携帯端末の着信音量制御システム及び着信音量制御方法に関する。
【背景技術】
【０００２】
一般的に、携帯電話機等の携帯端末をかばんの中やポケット等に入れているときは、着信音を大きい音量に設定することで着信に気付くことができるが、着信中の携帯端末に手を触れるまでは、その携帯端末の着信音を止めることができない。すなわち、ユーザが携帯端末をかばんやポケット等から取り出して、通話キー等所定のキーを操作しない限り着信音が鳴り続けているので、周囲の人に迷惑がかかることもある。このような不具合を解決するために、次のような各種関連技術が提供されている。
【０００３】
第１の関連技術は、ユーザによる着信中の携帯端末への接触を携帯端末が検知することにより、キー操作に頼ることなく、自動的に着信音を消音又は小音量にするか、あるいはバイブレータに切り替える構成である（例えば、特許文献１参照）。この第１の関連技術によれば、ユーザが携帯端末の着信に気付いてからかばんを開けて携帯端末に触れるまでの間は、携帯端末の着信音が鳴り続けている状態であり、やはり、周囲の人に迷惑がかかることになる。第２の関連技術は、折りたたみ可能な携帯端末の本体が開かれたことが検出された場合、任意のキーを押下することにより着信音を停止又は小音量にする構成である（例えば、特許文献２参照）。この第２の関連技術によれば、ユーザが携帯端末の着信に気付いてから、かばんを開けて携帯端末を取り出すまでの間は携帯端末の着信音が鳴り続ける状態であるので、やはり周囲の人に迷惑がかかることになる。第３の関連技術は、携帯端末の入ったかばんやポケット等を軽く叩いて衝撃を与えることにより、着信中の携帯端末の着信音を直ちに停止させたり、バイブレータの動作に切り替える構成である（例えば、特許文献３参照）。この第３の関連技術によれば、例えば、満員電車の中で他人が無意識にかばん等に衝撃を与えた場合でも、携帯端末の着信音が即時に停止したり、あるいはバイブレータ動作に切り替わってしまうこともあるので、その携帯端末を所持するユーザが着信に気付かないこともある。
【０００４】
また、携帯端末と無線通信できる通話装置を備えていて、かばんの中にある携帯端末の着信情報をかばんの外に所持している通話装置の画面に表示させたり、その通話装置のスピーカに報知させると共に、その通話装置のマイクから携帯端末を介して相手先と通話ができる第４の関連技術も知られている（例えば、特許文献４参照）。この第４の技術によれば、着信時の携帯端末をかばんの中から取り出さなくても、ユーザが所持している通話装置を用いて即座に通話を開始することができるので、使い勝手の利便性が一段とよくなる。
【０００５】
また、携帯端末とリモコン装置とがワイヤで接続されていて、携帯端末をかばん等に入れた状態でリモコン装置を胸ポケット口に挟み込んでおけば、そのリモコン装置のボタンを押すことによって携帯端末の着信音を停止又は小音量にすることができる第５の関連技術も知られている（例えば、特許文献５参照）。この第５の関連技術によれば、ユーザが着信音に気付けば、携帯端末に触れなくても、リモコン装置から直ちに着信音を停止又は小音量にすることができるので、周囲の人に迷惑がかかる程度がかなり軽減される。
【先行技術文献】
【特許文献】
【０００６】
【特許文献１】特開２００２−１１１７８９号公報
【特許文献２】特開平０８−３０７４８８号公報
【特許文献３】特開２００４−１７９９６１号公報
【特許文献４】特開２００２−２６１８８６号公報
【特許文献５】特開２００１−１５６８９０号公報
【発明の概要】
【発明が解決しようとする課題】
【０００７】
ところで、上記した第１乃至第３の関連技術（特許文献１、２、３）では、かばん等の中にある携帯端末の着信音を停止又は小音量にするのに比較的長い時間がかかったり、他人によって無意識に着信音が消されてしまう虞もあるので、他人に迷惑がかかる等して使い勝手がよくない。
また、第４の関連技術（特許文献４）は、かばんの中等にある携帯端末から外部の通話装置へ着信を報知したり、外部の通話装置から無線で携帯端末を介して外部へ通話ができる構成であるに留まり、外部の通話装置から携帯端末の着信音を停止又は小音量にすることについては開示も示唆もなされていない。
さらに、第５の関連技術（特許文献５）は、携帯端末とリモコン装置とをワイヤで接続して、リモコン装置からの有線操作によって携帯端末の着信音を停止又は小音量にする技術であるので、ユーザの行動中においてワイヤ配線が邪魔になることもあって携帯端末の着信時の使い勝手がよくない。
【０００８】
第４の関連技術（特許文献４）による通話装置から無線で携帯端末を介して外部へ通話する技術と、第５の関連技術（特許文献５）のリモコン装置からの有線操作によって携帯端末の着信音を停止又は小音量にする技術とを組み合わせても、外部からの無線操作によって着信音を停止又は小音量にする技術に展開することはできない。すなわち、無線通信による音声通話の転送技術と無線によって携帯端末の着信音を消音にする技術とは異質であるので、第４の関連技術（特許文献４）と第５の関連技術（特許文献５）をもって、携帯端末の着信音を無線による遠隔操作によって瞬時に消音化できるような機能を実現させることはできない。
【０００９】
この発明は、上述の事情に鑑みてなされたもので、携帯端末の着信音の音量を無線による遠隔操作によって瞬時に制御することができる携帯端末、該携帯端末の着信音量制御システム、及び着信音量制御方法を提供することを目的としている。
【課題を解決するための手段】
【００１０】
上記課題を解決するために、この発明の第１の構成は、携帯端末の着信音量制御システムに係り、携帯端末とリモコンとが、電波を用いる近距離無線通信機能によって相互に通信接続され、前記リモコンが、近距離無線通信機能を用いて携帯端末の着信音量を制御することを特徴としている。
【００１１】
この発明の第２の構成は、リモコンからの信号に基づいて着信音量が制御される携帯端末に係り、自己の着信情報を電波を用いて送信すると共に、前記リモコンの近距離通信用の第２の無線送受信機から送電波を用いて信された前記着信情報に基づく着信音量制御情報を受信する、近距離通信用の第１の無線送受信機を備え、前記リモコンから受信した着信音量制御情報に基づいて自己の着信音量を制御することを特徴としている。
【００１２】
この発明の第３の構成は、携帯端末の着信音量制御方法に係り、前記携帯端末が、近距離通信用の第１の無線送受信機によって、自己の着信情報をリモコンへ電波を用いて送信する第１のステップと、前記リモコンが、近距離通信用の第２の無線送受信機によって、前記携帯端末から受信した前記着信情報に基づく着信音量制御情報を前記携帯端末へ電波を用いて送信する第２のステップと、前記携帯端末が、前記リモコンから受信した着信音量制御情報に基づいて自己の着信音量を制御する第３のステップとを含むことを特徴としている。
【発明の効果】
【００１３】
この発明の構成によれば、かばんやポケットに入れている携帯端末（携帯電話機）の着信にユーザが気付いた時点で、外部に所持しているリモコンを使用して瞬時に着信音量を消音に切り替えたり小音量にしたりすることができる。
これによって、周囲の人への迷惑をさらに軽減させることができる。また、携帯端末の着信音を、リモコンから無線による遠隔操作によって瞬時に消音又は小音量にすることができるので、リモコンの操作中にワイヤ等がユーザに絡むおそれもないので、携帯端末やリモコンを操作するときの使い勝手が一段と向上する。
【図面の簡単な説明】
【００１４】
【図１】この発明の一実施形態である携帯端末の着信音量制御システムの電気的構成を模式的に示すブロック図である。
【図２】同着信音量制御システムを構成する携帯端末に実装されるデータテーブルにおける着信設定情報の内容を示す概念図である。
【図３】同データテーブルを構成する電話帳情報の内容を示す概念図である。
【図４】図１の携帯端末に実装される着信制御メモリの内容を示す概念図である。
【図５】同着信音量制御システムを構成するリモコンの構成を概略示す構成概念図である。
【図６】同着信音量制御システムの動作を説明する図で、携帯端末が着信してから着信音量を変更するまでの処理の流れを示すフローチャートである。
【図７】同着信音量制御システムの動作を説明する図で、図６のステップＳ７において秒タイムアウトしたときの携帯端末の処理の流れを示すフローチャートである。
【図８】同着信音量制御システムの動作を説明する図で、リモコンが着信通知を受けてから着信制御情報を携帯端末へ送信するまでの同リモコンの処理の流れを示すフローチャートである。
【図９】同着信音量制御システムの動作を説明する図で、図８のステップＳ２３においてタイムアウトしたときのリモコンの処理の流れを示すフローチャートである。
【図１０】同着信音量制御システムの動作を説明する図で、携帯端末の着信音量を着信前の設定値に戻すまでの携帯端末の処理の流れを示すフローチャートである。
【発明を実施するための形態】
【００１５】
この発明の好適な実施形態の概要は、携帯端末とリモコンからなると共に、前記携帯端末は、自己の着信情報をリモコンへ電波を用いて送信する近距離通信用の第１の無線送受信機を備え、前記リモコンは、前記着信情報に基づく着信音量制御情報を前記携帯端末へ電波を用いて送信する近距離通信用の第２の無線送受信機を備え、前記携帯端末は、前記リモコンから受信した着信音量制御情報に基づいて自己の着信音量を制御する構成となっている。
【００１６】
前記第１及び第２の無線送受信機は、共にＢｌｕｅＴｏｏｔｈ送受信機から構成されるのが好ましい。
以下、図面を参照して、この発明の一実施形態である携帯端末の着信音量制御システム詳細に説明する。
【実施形態】
【００１７】
図１は、この発明の一実施形態である携帯端末の着信音量制御システムの電気的構成を模式的に示すブロック図である。各ユーザは、それぞれ、１台の携帯端末を自分のかばんに入れ、１台のリモコンに紐を付けて首からぶら下げるか、又は手に持つ等して身に付けているものとする。すなわち、図１は、かばん１には携帯端末１ａが入れられ、リモコン１ｂによる遠隔操作が可能であり、また、別のかばん２には携帯端末２ａが入れられ、リモコン２ｂによる遠隔操作が可能である状態を示している。携帯端末１ａ及びリモコン１ｂの構成と、携帯端末２ａ及びリモコン２ｂの構成とは全く同じである。したがって、以下の説明では、携帯端末１ａとモコン１ｂとの組み合わせにおける携帯端末の着信音量制御システムについて構成及び動作を説明する。
【００１８】
ユーザがかばん１の中に所有する携帯端末１ａにはＢｌｕｅＴｏｏｔｈ送受信機（第１のＢｌｕｅＴｏｏｔｈ送受信機）１２が搭載され、かつリモコン１ｂにはＢｌｕｅＴｏｏｔｈ送受信機（第２のＢｌｕｅＴｏｏｔｈ送受信機）２０が搭載されている。携帯端末１ａは、ＢｌｕｅＴｏｏｔｈ機能を使用する際のペアリング設定においてリモコン１ｂを登録しており、携帯端末１ａとリモコン１ｂの間で近距離無線通信（例えば、数メートルの無線通信）が可能な状態となっている。ＢｌｕｅＴｏｏｔｈ機能は、例えば、２．４５ＧＨｚ帯の電波を利用して１Ｍｂｐｓの通信速度で無線通信を行う近距離無線通信を実現することができる。
【００１９】
また、携帯端末１ａは、画面１１、スピーカ１３、バイブレータ１４、着信制御メモリ１５、及びデータテーブル１６を搭載している。なお、データテーブル１６は、着信設定情報１６ａと電話帳情報１６ｂを管理している。また、リモコン１ｂは、携帯端末１ａの着信状態を表示するための画面１７、ＬＥＤ１８、スピーカ１９、及び携帯端末１ａの着信音量を制御するための消音ボタン２１を搭載している。
【００２０】
図２は、携帯端末１ａのデータテーブル１６における着信設定情報１６ａの内容を示す図であり、図３は携帯端末１ａのデータテーブル１６における電話帳情報１６ｂの内容を示す図であり、図４は携帯端末１ａの着信制御メモリ１５の内容を示す図であり、図５は着信通知を受けたリモコン１ｂの画面１７に表示される内容を示す図である。
【００２１】
携帯端末１ａの着信制御メモリ１５は、図４に示すように、リモコン１ｂ側から送信されてくる着信音量の制御情報（着信音量制御情報）を記憶している。また、携帯端末１ａのデータテーブル１６は、着信設定情報１６ａと電話帳情報１６ｂを管理している。データテーブル１６の着信設定情報１６ａは、図２に示すように、携帯端末１ａにあらかじめデフォルト値として設定されている音量の事前設定値と、携帯端末１ａの着信時に実際に適用される音量の適用設定値との２つのデータエリアを持っている。図２における適用設定値のデータエリアは、事前設定値と同じ音量値（音量１）が予め格納されているものとする。データテーブル１６の電話帳情報１６ｂは、図３に示すように、電話帳登録されている通信相手の氏名と電話番号とを管理している。
【００２２】
次に、図１に示すこの発明の実施形態に係る携帯端末の着信音量制御システムの動作について概略的に説明する。図１に示すように、携帯端末１ａのＢｌｕｅＴｏｏｔｈ送受信機１２とリモコン１ｂのＢｌｕｅＴｏｏｔｈ送受信機２０とが近距離無線通信で接続されているので、ユーザがリモコン１ｂを使用して携帯端末１ａの着信音量の制御を無線通信で行うことにより、着信中の携帯端末１ａの着信音を瞬時に消音にすることができる。したがって、携帯端末１ａの着信時に周囲の人への迷惑を最小限に留めることができる。
【００２３】
特に、携帯端末１ａをかばんの中に入れているユーザは、自分の携帯端末１ａと近距離無線通信で接続されたリモコン１ｂを紐を付けて首からぶら下げるか、又は手に持つ等により自分の身に付けていれば、着信中の携帯端末１ａからの着信通知をリモコン１ｂが直ちに受信する。そして、リモコン１ｂは、画面１７上に着信中であることを示すメッセージを表示し、かつ、ＬＥＤを点滅させる。
【００２４】
このとき、リモコン１ｂのスピーカ１９からは着信音が鳴っているが、着信中の携帯端末１ａに対してユーザがリモコン１ｂ上で消音ボタン２１を押下すれば、リモコン１ｂのスピーカ１９から鳴動している着信音を直ちに停止させ、さらに、リモコン１ｂの画面１７の着信表示とＬＥＤ１８の点滅をＯＦＦにしてから、着信制御情報をリモコン１ｂが携帯端末１ａへ送信すると、携帯端末１ａは、その制御情報を受信すると瞬時に着信音を消音に切り替えることができる。
【００２５】
次に、図１に示すこの発明の実施形態に係る携帯端末の着信音量制御システムの動作について詳細に説明する。すなわち、図１乃至図５を参照しながら、フローチャートの流れにしたがって携帯端末１ａが着信してから着信音量を事前設定値に戻すまでの動作を各ステップに分けて詳細に説明する。
【００２６】
＜携帯端末１ａの着信動作＞
図６は、携帯端末１ａが着信してから着信音量を変更するまでの処理の流れを示すフローチャートである。したがって、図６を用いて、携帯端末１ａが着信してから着信音量の制御情報を着信音量の適用設定値に設定完了するまでの処理の流れを説明する。まず、かばん１に入っている携帯端末１ａは、受信状態の待機中において（ステップＳ１）、外部からの電話を着信すると（ステップＳ１でＹＥＳ）、自己の画面１１に着信表示を行うと共に着信音を発生させる（ステップＳ２）。このとき、携帯端末１ａの着信音量は、データテーブル１６が持っている適用設定値（図２参照）に従っている。
【００２７】
次に、携帯端末１ａは、図３の電話帳情報を参照して、発信者の電話番号の有無をデータテーブル１６の電話帳情報１６ｂによって確認し（ステップＳ３）、該当する電話番号が存在するか否かを判定する（ステップＳ４）。ここで、携帯端末１ａへ発信した発信者の電話番号が電話帳情報１６ｂに存在するときは（ステップＳ４でＹＥＳ）、着信通知として携帯端末１ａへ発信した発信者の氏名をリモコン１ｂへ送信する（ステップＳ５）。一方、ステップＳ４において、携帯端末１ａへの発信者の電話番号が電話帳情報１６ｂに存在しないときは（ステップＳ４でＮＯ）、着信通知として携帯端末１ａへ発信した発信者の電話番号をリモコン１ｂへ送信する（ステップＳ６）。
【００２８】
次に、携帯端末１ａは、所定時間のタイマ（例えば、１２秒のタイマ）を発行し（ステップＳ７）、リモコン１ｂからの着信制御情報を受け取り待ち状態となる。ここで、リモコン１ｂから１２秒以内に着信制御情報が送付されなかったときは、１２秒タイムアウトとなる。なお、１２秒タイムアウト時の動作については図７を用いて後述する。
【００２９】
一方、携帯端末１ａは、１２秒以内にリモコン１ｂから着信音量の制御情報（着信音量制御情報）を受けると（ステップＳ８）、その着信音量制御情報を図４に示すようなデータとして着信制御メモリ１５へ格納する（ステップＳ９）。そして、着信制御メモリ１５に着信音量制御情報が格納されると、携帯端末１ａは、その制御情報を図２に示すような着信設定情報の適用設定値にコピーすることで着信音量の設定変更を行い（ステップＳ１０）、着信動作を継続する。このようにして、携帯端末１ａの着信音量の設定変更が完了すると、図６のフローチャートの処理は終了となる。
【００３０】
＜１２秒タイムアウト時の携帯端末１ａの動作＞
図７は、図６のステップＳ７において１２秒タイムアウトしたときの携帯端末１ａの処理の流れを示すフローチャートである。したがって、図７を用いて、携帯端末１ａが１２秒タイムアウトしたときの動作の流れを説明する。図６のステップＳ５又はステップＳ６において、携帯端末１ａが、リモコン１ｂに着信通知を行ってから１２秒以内にリモコン１ｂから着信音量制御情報を受け取らない状態で、携帯端末１ａが着信中の状態を続けているか否かを判定し（ステップＳ１１）、着信中の状態を続けているときは（ステップＳ１１でＹＥＳ）、携帯端末１ａは、図２の着信設定情報について適用設定値を音量０に更新する（ステップＳ１２）。そして、適用設定値の更新が完了すると図７のフローチャートの処理は終了となる。
【００３１】
＜リモコン１ｂの動作＞
図８は、リモコン１ｂが着信通知を受けてから着信音量制御情報を携帯端末１ａへ送信するまでのリモコン１ｂの処理の流れを示すフローチャートである。したがって、図８のフローチャートを用いて、リモコン１ｂが携帯端末１ａから着信通知を受けてから着信音量制御情報を携帯端末１ａへ送信するまでのリモコン１ｂの動作を説明する。
【００３２】
図８において、携帯端末１ａが電話着信すると、リモコン１は、携帯端末１ａが発信者の氏名又は電話番号を受信中である旨の情報を着信通知として受信する（ステップＳ２１）。リモコン１ｂは、着信通知を受信すると、図５に示すようなリモコン１ｂの画面１７上に携帯端末１ａが着信中であることを表示する。このとき、リモコン１ｂのＬＥＤ１８が点滅すると共にスピーカ１９から着信音を発生させる（ステップＳ２２）。このとき、リモコン１ｂは、所定時間（例えば、１０秒）のタイマを発行し（ステップＳ２３）、ユーザによる消音ボタン２１の押下待ち状態となる。
【００３３】
ここで、ユーザが１０秒以内にリモコン１ｂの消音ボタン２１を押下しなかったときは１０秒タイムアウトとなる。なお、１０秒タイムアウト時の動作については図９を用いて後述する。一方、ユーザが１０秒以内にリモコン１ｂの消音ボタン２１を押下すると（ステップＳ２４）、リモコン１ｂのスピーカ１９から発生している着信音を停止させる（ステップＳ２５）。このとき、リモコン１ｂの画面１７の着信表示及びＬＥＤ１８の点滅をＯＦＦにする（ステップＳ２６）このようにして、リモコン１ｂの着信音が停止すると、リモコン１ｂは、着信音量を消音にする制御情報を携帯端末１ａへ送信する（ステップＳ２７）。そして、リモコン１ｂが携帯端末１ａに着信音量を消音にする制御情報の送信が完了すると、図８のフローチャートの処理は終了となる。
【００３４】
＜１０秒タイムアウト時のリモコン１ｂの動作＞
図９は、図８のステップＳ２３において１０秒タイムアウトしたときのリモコン１ｂの処理の流れを示すフローチャートである。したがって、図９のフローチャートを用いてリモコン１ｂが１０秒タイムアウトしたときの動作の流れを説明する。
【００３５】
図８のステップＳ２２、Ｓ２３において、リモコン１ｂが着信通知動作（つまり、着信画面表示、ＬＥＤ点滅、及び着信音発生）を開始してから１０秒以内に、ユーザがリモコン１ｂの消音ボタン２１を押下しなかったときは、図９のフローチャートにおいて、リモコン１ｂの画面１７上に着信タイムアウトを表示する（ステップＳ３１）。さらに、リモコン１ｂのスピーカ１９から発生している着信音を停止させる（ステップＳ３２）。そして、リモコン１ｂの画面１７の着信表示及びＬＥＤ１８の点滅をＯＦＦにする（ステップＳ３３）。このようにして、リモコン１ｂの着信音が停止し、画面１７の着信表示及びＬＥＤ１８の点滅がＯＦＦになると、図９のーチャートの処理は終了となる。
【００３６】
＜着信応答又は着信停止時における着信音量設定変更＞
図１０は、携帯端末１ａの着信音量を着信前の設定値に戻すまでの携帯端末１ａの処理の流れを示すフローチャートである。したがって、図１０を用いて、携帯端末１ａが着信応答（例えば、通話移行や留守番応答等）、又は着信停止（例えば、発信者による発信切断や圏外移行等）を検出して着信が停止した場合に、着信音量を着信前の設定に変更するまでの動作の流れを説明する。
【００３７】
すなわち、携帯端末１ａの着信が停止したときは、図１０のフローチャートにしたがって携帯端末１ａが動作を開始する。まず、携帯端末１ａが受信中であるか否かを判定して（ステップＳ４１）、携帯端末１ａが受信中でなければ（ステップＳ４１でＮＯ）、図２の着信設定情報について、着信音量の事前設定値と適用設定値との比較を行う。ここで、着信音量の事前設定値と適用設定値が異なっているときは、携帯端末１ａは事前設定値を適用設定値にコピーして、着信音量の設定を更新する（ステップＳ４２）。携帯端末１ａが信音量の設定値のピーを了すると、図１０チャートの処理は了となる。
【００３８】
以上、この発明の実施形態を図面により詳述してきたが、具体的な構成は同実施形態に限られるものではなく、この発明の要旨を逸脱しない範囲の設計の変更等があっても、この発明に含まれる。例えば、携帯端末やリモコンに搭載される近距離通信用の無線送受信機としては、ＢｌｕｅＴｏｏｔｈ送受信機に限定されない。
【産業上の利用可能性】
【００３９】
この発明による携帯端末の着信音量制御システムによれば、通勤電車の中においてかばんに入っている携帯端末の着信音が鳴ったときに、そのユーザがリモコン操作によって瞬時に着信音を消音に切り替えることができるので、ビジネスマン等が使用する汎用の携帯電話機等に有効に利用することができる。
【符号の説明】
【００４０】
１、２      かばん
１ａ、２ａ      携帯端末
１ｂ、２ｂ      リモコン
１１、１７      画面
１２、２０      ＢｌｕｅＴｏｏｔｈ送受信機（第１、第２の無線送受信機）
１３      スピーカ
１４      バイブレータ
１５      着信制御メモリ
１６      データテーブル
１６ａ      着信設定情報
１６ｂ      電話帳情報
１８      ＬＥＤ
１９      スピーカ
２１      消音ボタン
【図１】
2010193018.tif 000003
【図２】
2010193018.tif 000004
【図３】
2010193018.tif 000005
【図４】
2010193018.tif 000006
【図５】
2010193018.tif 000007
【図６】
2010193018.tif 000008
【図７】
2010193018.tif 000009
【図８】
2010193018.tif 000010
【図９】
2010193018.tif 000011
【図１０】
2010193018.tif 000012